(57)【要約】【課題】洗面台周りで使用する細長い小物を、置きやすく、スペースを良好に活用できる棚を有する洗面台を提供すること。【解決手段】吐水される湯水を受けるボウル部２の奥側から上方に向かって起立する後壁部２３に設けられ、洗面台１の左右方向に沿うとともに後壁部２３から手前側に延びる平坦な面を有する棚４を備え、棚４は、厚さ方向に貫通し、長尺形状の物が挿通可能な貫通孔４２を有する洗面台である。前記貫通孔は、前記洗面台の正面視で左右方向に傾斜するように形成される。貫通孔４２は、洗面台１の正面視で左右方向に傾斜するように形成されることが好ましい。【選択図】図１
2020156598.tif 000002
【特許請求の範囲】
【請求項１】
吐水される湯水を受けるボウル部の奥側から上方に向かって起立する後壁部に設けられ、洗面台の左右方向に沿うとともに前記後壁部から手前側に延びる平坦な面を有する棚を備え、
前記棚は、厚さ方向に貫通し、長尺形状の物が挿通可能な貫通孔を有する、洗面台。
【請求項２】
前記貫通孔は、前記洗面台の正面視で左右方向に傾斜するように形成される、請求項１に記載の洗面台。
【請求項３】
前記貫通孔は、前記洗面台の左右方向に沿って互いに間を空けて複数配置される、請求項１又は２に記載の洗面台。
【請求項４】
前記棚の前縁には、前記前縁から奥側に向かって切り欠かれた切り欠き部が形成される、請求項１〜３のいずれか１項に記載の洗面台。
【請求項５】
前記棚に着脱可能に取り付けられる補助棚をさらに有する、請求項１〜４のいずれか１項に記載の洗面台。
【請求項６】
前記補助棚は、前記洗面台の左右方向に沿って互いに間を空けて複数配置され、厚さ方向に貫通する補助棚貫通孔を有する、請求項５に記載の洗面台。
【請求項７】
前記補助棚は、前記後壁部側から手前側への奥行方向の寸法が、前記棚の奥行き方向の寸法よりも小さい、請求項５又は６に記載の洗面台。
【請求項８】
前記補助棚の補助棚前縁には、前記補助棚前縁から奥側に向かって切り欠かれた切り欠き部が形成される、請求項５〜７のいずれか１項に記載の洗面台。
【請求項９】
吐水される湯水を受けるボウル部の奥側から上方に向かって起立する後壁部に設けられ、前記後壁部から手前側に延びる平坦な面を有する第１の棚と、
前記第１の棚に対して着脱可能に取り付けられる第２の棚と、を有する、洗面台。
【請求項１０】
前記第１の棚及び前記第２の棚のいずれか又は両方には、上下方向に貫通する貫通孔が形成されている、請求項９に記載の洗面台。
【請求項１１】
前記第２の棚は、前記第１の棚の上面に形成された溝に嵌合される、請求項９又は１０に記載の洗面台。
【発明の詳細な説明】
【技術分野】
【０００１】
本発明は、洗面台に関する。
【背景技術】
【０００２】
従来、洗面台のボウル部の上方に、洗面時に使用する小物等を置く棚を設けることが知られている。棚は、ボウル部の奥側から起立する後壁部に設けられ、左右方向に沿って延びるとともに、後壁部から手前側へ突出するように配置されている（例えば、特許文献１参照）。
【先行技術文献】
【特許文献】
【０００３】
【特許文献１】特開２０１８−１１１９９５号公報
【発明の概要】
【発明が解決しようとする課題】
【０００４】
洗面時には、歯ブラシや化粧筆等、細長い形状の小物を使用する場合がある。しかし、細長い小物を棚の上で横に寝せて載置すると、左右方向の面積を多くとってしまい、他の物が置きにくくなる。一方、立てて置くと、細長い小物は安定せず落下する場合がある。
【課題を解決するための手段】
【０００５】
本発明は、吐水される湯水を受けるボウル部（例えば、後述のボウル部２）の奥側から上方に向かって起立する後壁部（例えば、後述の後壁部２３）に設けられ、洗面台（例えば、後述の洗面台１）の左右方向に沿うとともに前記後壁部から手前側に延びる平坦な面を有する棚（例えば、後述の棚４）を備え、前記棚は、厚さ方向に貫通し、長尺形状の物が挿通可能な貫通孔（例えば、後述の貫通孔４２）を有する、洗面台に関する。
【図面の簡単な説明】
【０００６】
【図１】本実施形態の洗面台の正面図である。
【図２】本実施形態の洗面台の側面図である。
【図３】本実施形態の洗面台のボウル部の斜視図である。
【図４】本実施形態の洗面台の棚及び補助棚の展開図である。
【図５】本実施形態の洗面台の棚及び補助棚の使用状態を示す図である。
【発明を実施するための形態】
【０００７】
以下、本発明の実施形態について図面を参照しながら詳細に説明する。図１は、本実施形態の洗面台１の正面図であり、図２は、側面図である。図１及び図２に示すように、洗面台１は、ボウル部２と、水栓装置３と、第１の棚である棚４と、第２の棚である補助棚５と、上部キャビネット６と、下部キャビネット７と、を有する。なお、本明細書において、洗面台１の奥側とは、洗面台１を設置する空間の壁面側を意味し、手前側とは、奥側に対向するとともに使用時に使用者が位置する側を意味する。奥行方向とは、奥側と手前側を結ぶ方向を意味する。また、左右方向とは、洗面台１を正面から視た場合の左右を言う。
【０００８】
ボウル部２は、洗面台１に設けられ、吐水される湯水を受けて貯水や排水を行う部分である。ボウル部２は、凹部２１と、上面部２２と、後壁部２３と、を有する。凹部２１は、吐水される湯水を受け止める上部が開口した略直方体の形状を有する。凹部２１の底面には、排水口及び排水栓が配置される（図示省略）。上面部２２は、凹部２１の周縁に沿って形成される平坦な面であり、洗面台１の奥側から手前側、及び左右方向に延びる。後壁部２３は、上面部２２の奥側から上方へ向かって起立する。後壁部２３は、洗面台１を設置する壁面に沿って配置される。
【０００９】
上部キャビネット６は、後壁部２３の上方に配置され、壁面に取り付けられる戸棚である。上部キャビネット６は、３つに分かれた収納部６１、６２、６３と、収納部６１、６２、６３の前面に開閉可能に取り付けられた扉６１ａ、６２ａ、６３ａと、を有する。扉６１ａ、６２ａ、６３ａの前面は鏡になっている。
【００１０】
下部キャビネット７は、洗面台１の設置面に設置され、ボウル部２を支持する収納棚である。下部キャビネット７は、複数の引き出し７１と、蹴込部７２と、を有する。引き出し７１は、洗面台１の奥側から手前側に引き出し可能な箱体で構成され、内部に物品を収納可能である。蹴込部７２は、引き出し７１の手前側の表面よりも奥まった位置で、設置面まで上下方向に延びる面である。
【００１１】
図３は、ボウル部２の斜視図である。水栓装置３は、図３に示すように、ボウル部２の凹部２１へ向けて湯水を排出する装置であり、後壁部２３に取り付けられている。水栓装置３は、吐水栓３１と、レバー３２と、排水栓操作ツマミ３３と、を有する。吐水栓３１は、後壁部２３に固定された略円盤状の台座３１１と、台座３１１から取り外して引き出すことのできるシャワー吐水口３１２とを有する。レバー３２は、吐水栓３１の左右方向（図では右側）に離れて配置されている。レバー３２は、前後左右に動かすことで、吐水栓３１から吐水される湯水の温度及び水量等を調整可能に構成されている。排水栓操作ツマミ３３は、レバー３２から左右方向に離れて配置されている。排水栓操作ツマミ３３は、排水栓操作ツマミ３３の引き出し又は押し込み操作により、凹部２１の底面に配置された排水栓を開閉するものである。
【００１２】
図４は、洗面台１の棚４及び補助棚５の展開図を示し、図５は使用状態を示す図である。棚４は、後壁部２３に設けられる。棚４は、水栓装置３の上方に、左右方向に沿うとともに後壁部２３から手前側へ延びる平坦な板面を有する。棚４は、本体部４１と、複数の貫通孔４２と、補助棚取り付け溝４３と、切り欠き部４４と、を有する。
【００１３】
本体部４１は、薄い略直方体状の板であり、平坦な上面が棚４の上面を構成する。下面は、奥側から手前側に向かってやや上方に傾斜している。複数の貫通孔４２は、図４に示すように、棚４に互いに間を空けて左右方向に並んで配置され、棚４の厚さ方向に貫通している。複数の貫通孔４２は、略円柱状に棚４を貫いており、歯ブラシ等の長尺状の小物が挿通可能になっている。複数の貫通孔４２は、洗面台１の正面視で、棚４の左右方向の一方から他方へ傾斜するように形成されている。
【００１４】
補助棚取り付け溝４３は、本体部４１の上面の後壁部２３側で、左右方向に沿って形成される溝である。補助棚取り付け溝４３の幅は、後述する補助棚５を差し込み可能な補助棚５の厚さよりもわずかに大きい寸法を有する。
【００１５】
切り欠き部４４は、本体部４１の前縁に形成され、本体部４１の前縁から奥側に向かって切り欠かれたＵ字状の溝である。切り欠き部４４は、前縁から奥側へ直線的に延び、後端側で湾曲する。切り欠き部４４の幅は、貫通孔４２の外径よりも大きい。切り欠き部４４は、本体部４１の厚さ方向に延びる内壁面が、厚さ方向の略中央部に向かうにしたがって、溝の内側に突出するように傾斜する傾斜部４４ａを有する。切り欠き部４４には、例えば、図５に示すように、前縁側から洗剤等のボトルのネック部が差し込まれて使用されてもよい。このとき、本体部４１自体に厚さがあるために、切り欠き部４４の内側面が本体部４１と同じ厚さで上下方向に直線的に延びていた場合は、差し込むボトル等のネック部の形状によっては差し込みにくくなる。そこで、傾斜部４４ａにより、切り欠き部４４とネック部との接触部分を小さくすることで、ボトル等の差し込みを容易にしている。
【００１６】
補助棚５は、棚４に着脱可能に取り付けられ、棚４の上方に配置される二段目の棚を構成する。補助棚５は、補助棚本体部５１と、複数の補助棚貫通孔５２と、差し込み部５３と、を有し、側面視で略Ｌ字状に屈曲している。
【００１７】
補助棚本体部５１は、棚４の本体部４１と同等かそれよりも狭い幅を有する略長方形の平坦な板である。補助棚本体部５１の奥行方向の寸法は、棚４の奥行方向の寸法よりも小さい。補助棚５を棚４に取り付けた状態では、棚４の前縁側の上方には、補助棚本体部５１は配置されていない。
【００１８】
複数の補助棚貫通孔５２は、図４に示すように、左右方向に沿って互いに間を空けて配置され、補助棚本体部５１の厚さ方向に貫通している。複数の補助棚貫通孔５２は、棚４の複数の貫通孔４２のそれぞれと左右方向の位置がずれるように配置されている。
【００１９】
差し込み部５３は、図２に示すように、棚４の補助棚取り付け溝４３に差し込まれる板である。差し込み部５３は、補助棚本体部５１と略直角に接続され、補助棚５を側面視で見ると略Ｌ字状に形成されている。差し込み部５３が補助棚取り付け溝４３に差し込まれることにより、補助棚５が棚４に嵌合する。
【００２０】
本実施形態によれば、以下の効果を奏する。本実施形態では、洗面台１を、吐水される湯水を受けるボウル部２の奥側から上方に向かって起立する後壁部２３を含んで構成した。また、後壁部２３に設けられ、洗面台１の左右方向に沿うとともに後壁部２３から手前側に延びる平坦な面を有する棚４を含んで構成した。また、棚４を、厚さ方向に貫通し、長尺形状の物が挿通可能な貫通孔４２を含んで構成した。棚４に厚さ方向に貫通する貫通孔４２を形成したので、歯ブラシや化粧道具等の細長い物品を、貫通孔４２に通して保持させることができる。このため、細長い小物を小さなスペースで置くことが可能になり、置きやすく、棚４のスペースを良好に活用することができる。
【００２１】
本実施形態では、貫通孔４２を、洗面台１の正面視で左右方向に傾斜するように形成した。貫通孔４２を傾斜させたので、細長い小物の上端が上部キャビネット６や補助棚５等に当接する不都合を防止することができる。また、多種類の細長い小物が挿通するように考慮すると、貫通孔４２の径は大きくなりがちであり、小物によっては貫通孔４２を通り抜けてしまうことが考えられる。しかし、貫通孔４２を傾斜させることで小物が傾き、傾いた小物が貫通孔４２の周囲の本体部４１の面に支えられて落下することが防止される。さらに、細長い小物を傾斜させて保持することで、棚４の上面のスペースをより有効に活用することが可能になる。
【００２２】
本実施形態では、貫通孔４２を、洗面台１の左右方向に沿って互いに間を空けて複数配置させた。棚４に貫通孔４２を複数配置したので、細長い小物を複数置くことができる。よって、例えば複数名分の歯ブラシ等を棚４に保持させることが可能になり、利便性が高まる。
【００２３】
本実施形態では、棚４の前縁に、前縁から奥側に向かって切り欠かれた切り欠き部４４を形成した。物品の全体が補助棚貫通孔５２に挿通しないような形状であっても、液体石鹸のポンプボトル等、細い部分のみを切り欠き部４４に支持させることができる。これにより、小さなスペースで保持できる小物の種類を増やすことができ、より利便性が高まる。
【００２４】
本実施形態では、棚４に着脱可能に取り付けられる補助棚５をさらに含んで構成した。棚４及び補助棚５を有することで、小物を置くスペースがさらに増加する。また、補助棚５は、棚４に対して着脱可能なので、不要な場合は使用しないことを選択でき、利便性が高まる。また、補助棚５が着脱可能であるため、棚４及び補助棚５の掃除を容易に行うことができる。
【００２５】
本実施形態では、補助棚５を、洗面台１の左右方向に沿って互いに間を空けて複数配置され、厚さ方向に貫通する補助棚貫通孔５２を含んで構成した。補助棚５にも補助棚貫通孔５２を形成したので、細長い小物を保持させることができる位置が増加する。
【００２６】
本実施形態では、補助棚５における後壁部２３側から手前側への奥行方向の寸法を、棚４の奥行き方向の寸法よりも小さく構成した。補助棚５の方が棚４よりも奥行方向の寸法が小さいので、棚４の貫通孔４２に保持させた長尺状の小物が上方に長く延びていても、補助棚５にぶつからずに保持させることができる。
【００２７】
なお、本発明の他の側面として、棚４を第１の棚とし、補助棚５を第２の棚としたときに、貫通孔を設けずに、第２の棚５を第１の棚４に対して着脱可能に取り付けることで、小物を置く棚の面積を増加させることができる。貫通孔を設けない場合は、細長い小物は横にして置くことになるが、棚の面積が増加しているので、上記実施形態と同様に、小物を置きやすく、スペースを良好に活用することができる。勿論貫通孔を形成してもよい。
【００２８】
本発明は上記実施形態に限定されるものではなく、本発明の目的を達成できる範囲での変形、改良等は本発明に含まれる。例えば、上記実施形態では、棚４や補助棚５では貫通孔が複数形成されているが、複数に限られない。貫通孔を一つ配置するだけでもよい。例えば、上記実施形態では、水栓装置３は棚４と別体で設けられているが、これに限られない。水栓装置と棚を一体化させて、棚の下部から吐水を行う洗面台を用いてもよい。後壁部は、洗面台の一部でなくてもよく、洗面台が設置される建材であってもよい。上記実施形態では、切り欠き部４４を棚４の前縁に設けたが、棚４ではなく補助棚５の補助棚前縁に設けてもよい。
【符号の説明】
【００２９】
１      洗面台
２      ボウル部
４      棚（第１の棚）
５      補助棚（第２の棚）
２３    後壁部
４２    貫通孔
４３    補助棚取り付け溝（溝）
４４    切り欠き部
５２    補助棚貫通孔
【図１】
2020156598.tif 000003
【図２】
2020156598.tif 000004
【図３】
2020156598.tif 000005
【図４】
2020156598.tif 000006
【図５】
2020156598.tif 000007